(57)【要約】ユーザ機器（ＵＥ）による自律的なシステム情報（ＳＩ）の読取中におけるデータ損失を緩和するための技術が記載される。自律的なＳＩ読取のために、ＵＥは、近隣セルからいつシステム情報を読み取るのかを自律的に決定し、サービス提供セルに通知しない。１つの設計では、ＵＥは、近隣セルからシステム情報を読み取るために、ＳＩ読取ギャップを自律的に選択しうる。ＳＩ読取ギャップ中、ＵＥは、サービス提供セルからのダウンリンク送信の受信を保留し、近隣セルからシステム情報を受信し、サービス提供セルへアップリンクで送信する機能を維持しうる。１つの設計では、サービス提供セルは、近隣セルからシステム情報を読み取るためにＵＥによって自律的に選択されるＳＩ読取ギャップを決定しうる。サービス提供セルは、例えば、ＳＩ読取ギャップ中に、ＵＥとの通信を保留するように、ＵＥのＳＩ読取ギャップを考慮することによって、ＵＥと通信しうる。
2013517743.tif 000002
【特許請求の範囲】
【請求項１】
無線通信のための方法であって、
システム情報（ＳＩ）読取ギャップ中、ユーザ機器（ＵＥ）によって、サービス提供セルからのダウンリンク送信の受信を保留することと、
前記ＳＩ読取ギャップ中、前記ＵＥによって、近隣セルからシステム情報を受信することと、
前記ＳＩ読取ギャップ中、前記ＵＥによって、前記サービス提供セルへのアップリンクにおける送信のための機能を維持することと、
を備える方法。
【請求項２】
前記ＵＥが、前記サービス提供セルからダウンリンク送信を受信している場合、前記サービス提供セルに基づいて、前記アップリンクのための少なくとも１つのトラッキング・ループを更新することと、
前記ＳＩ読取ギャップ中、前記サービス提供セルに基づいて、前記アップリンクのための少なくとも１つのトラッキング・ループの更新をスキップすることと、
をさらに備える請求項１に記載の方法。
【請求項３】
前記ＳＩ読取ギャップのうちのすべてまたは一部の間、前記アップリンクのための少なくとも１つのトラッキング・ループがフリーズされた状態で、前記サービス提供セルへアップリンク送信を送ること、をさらに備える請求項２に記載の方法。
【請求項４】
前記少なくとも１つのトラッキング・ループは、周波数トラッキング・ループ、または時間トラッキング・ループ、またはこれら両方を備える、請求項２に記載の方法。
【請求項５】
前記ＵＥが前記サービス提供セルからダウンリンク送信を受信している場合、前記サービス提供セルに基づいて、前記ダウンリンクのための少なくとも１つのトラッキング・ループを更新することと、
前記ＳＩ読取ギャップ中、前記近隣セルに基づいて、前記ダウンリンクのための少なくとも１つのトラッキング・ループを更新することと、
をさらに備える請求項１に記載の方法。
【請求項６】
前記サービス提供セルに、同調解除情報を送信することをさらに備え、
前記同調解除情報は、前記ＵＥが少なくとも１つの近隣セルからシステム情報を受信することを意図しているＳＩ読取ギャップを示す、請求項１に記載の方法。
【請求項７】
少なくとも１つの近隣セルのためのタイミング情報を、前記サービス提供セルへ送信することをさらに備え、
前記タイミング情報は、前記ＵＥがシステム情報を受信することを意図している少なくとも１つの近隣セルのタイミングを示す、請求項１に記載の方法。
【請求項８】
前記サービス提供セルと前記近隣セルとは、同じ周波数で動作し、前記ＵＥは、前記ＳＩ読取ギャップ中、周波数内ＳＩ読取を実行する、請求項１に記載の方法。
【請求項９】
前記サービス提供セルと前記近隣セルとは、別の周波数で動作し、前記ＵＥは、前記ＳＩ読取ギャップ中、周波数間ＳＩ読取を実行する、請求項１に記載の方法。
【請求項１０】
無線通信のための装置であって、
システム情報（ＳＩ）読取ギャップ中、ユーザ機器（ＵＥ）によって、サービス提供セルからのダウンリンク送信の受信を保留する手段と、
前記ＳＩ読取ギャップ中、前記ＵＥによって、近隣セルからシステム情報を受信する手段と、
前記ＳＩ読取ギャップ中、前記ＵＥによって、前記サービス提供セルへのアップリンクにおける送信のための機能を維持する手段と、
を備える装置。
【請求項１１】
前記ＵＥが、前記サービス提供セルからダウンリンク送信を受信している場合、前記サービス提供セルに基づいて、前記アップリンクのための少なくとも１つのトラッキング・ループを更新する手段と、
前記ＳＩ読取ギャップ中、前記サービス提供セルに基づいて、前記アップリンクのための少なくとも１つのトラッキング・ループの更新をスキップする手段と、
をさらに備える請求項１０に記載の装置。
【請求項１２】
前記ＵＥが、前記サービス提供セルからダウンリンク送信を受信している場合、前記サービス提供セルに基づいて、前記ダウンリンクのための少なくとも１つのトラッキング・ループを更新する手段と、
前記ＳＩ読取ギャップ中、前記近隣セルに基づいて、前記ダウンリンクのための少なくとも１つのトラッキング・ループを更新する手段と、
をさらに備える請求項１０に記載の装置。
【請求項１３】
前記サービス提供セルに、同調解除情報を送信する手段をさらに備え、
前記同調解除情報は、前記ＵＥが少なくとも１つの近隣セルからシステム情報を受信することを意図しているＳＩ読取ギャップを示す、請求項１０に記載の装置。
【請求項１４】
少なくとも１つの近隣セルのためのタイミング情報を、前記サービス提供セルへ送信する手段をさらに備え、
前記タイミング情報は、前記ＵＥがシステム情報を受信することを意図している少なくとも１つの近隣セルのタイミングを示す、請求項１０に記載の装置。
【請求項１５】
無線通信のための装置であって、
システム情報（ＳＩ）読取ギャップ中、ユーザ機器（ＵＥ）によって、サービス提供セルからのダウンリンク送信の受信を保留し、
前記ＳＩ読取ギャップ中、前記ＵＥによって、近隣セルからシステム情報を受信し、
前記ＳＩ読取ギャップ中、前記ＵＥによって、前記サービス提供セルへのアップリンクにおける送信のための機能を維持する、
ように構成された少なくとも１つのプロセッサ、
を備える装置。
【請求項１６】
前記少なくとも１つのプロセッサは、
前記ＵＥが、前記サービス提供セルからダウンリンク送信を受信している場合、前記サービス提供セルに基づいて、前記アップリンクのための少なくとも１つのトラッキング・ループを更新し、
前記ＳＩ読取ギャップ中、前記サービス提供セルに基づいて、前記アップリンクのための少なくとも１つのトラッキング・ループを更新することをスキップする
ように構成された、請求項１５に記載の装置。
【請求項１７】
前記少なくとも１つのプロセッサは、
前記ＵＥが、前記サービス提供セルからダウンリンク送信を受信している場合、前記サービス提供セルに基づいて、ダウンリンクのための少なくとも１つのトラッキング・ループを更新し、
前記ＳＩ読取ギャップ中、前記近隣セルに基づいて、前記ダウンリンクのための少なくとも１つのトラッキング・ループを更新する
ように構成された、請求項１５に記載の装置。
【請求項１８】
前記少なくとも１つのプロセッサは、前記サービス提供セルに、同調解除情報を送信するように構成され、
前記同調解除情報は、前記ＵＥが少なくとも１つの近隣セルからシステム情報を受信することを意図しているＳＩ読取ギャップを示す、請求項１５に記載の装置。
【請求項１９】
前記少なくとも１つのプロセッサは、少なくとも１つの近隣セルのためのタイミング情報を、前記サービス提供セルへ送信するように構成され、
前記タイミング情報は、前記ＵＥがシステム情報を受信することを意図している少なくとも１つの近隣セルのタイミングを示す、請求項１５に記載の装置。
【請求項２０】
コンピュータ・プログラム製品であって、
少なくとも１つのコンピュータに対して、システム情報（ＳＩ）読取ギャップ中、ユーザ機器（ＵＥ）によって、サービス提供セルからのダウンリンク送信の受信を保留させるためのコードと、
前記少なくとも１つのコンピュータに対して、前記ＳＩ読取ギャップ中、前記ＵＥによって、近隣セルからシステム情報を受信させるためのコードと、
前記少なくとも１つのコンピュータに対して、前記ＳＩ読取ギャップ中、前記ＵＥによって、前記サービス提供セルへのアップリンクにおける送信のための機能を維持させるためのコードと、
を備える非一時的なコンピュータ読取可能な媒体、を備えるコンピュータ・プログラム製品。
【請求項２１】
無線通信のための方法であって、
少なくとも１つの近隣セルからシステム情報を読み取るために、ユーザ機器（ＵＥ）によって自律的に選択されるシステム情報（ＳＩ）読取ギャップを決定することと、
前記ＵＥのＳＩ読取ギャップを考慮することによって、サービス提供セルによって前記ＵＥと通信することと、
を備える方法。
【請求項２２】
前記ＵＥのＳＩ読取ギャップを決定することは、
前記ＵＥから、前記ＳＩ読取ギャップを示す同調解除情報を受信することと、
前記同調解除情報に基づいて、前記ＵＥのＳＩ読取ギャップを決定することと
を備える、請求項２１に記載の方法。
【請求項２３】
前記ＵＥのＳＩ読取ギャップを決定することは、
前記少なくとも１つの近隣セルのためのタイミング情報を取得することと、
前記少なくとも１つの近隣セルのためのタイミング情報に基づいて、前記ＵＥのＳＩ読取ギャップを決定することと
を備える、請求項２１に記載の方法。
【請求項２４】
前記ＵＥのＳＩ読取ギャップを決定することは、
前記ＵＥからのアクノレッジメント（ＡＣＫ）情報の喪失送信を検出することと、
前記ＵＥからのＡＣＫ情報の喪失送信に基づいて、前記ＳＩ読取ギャップを決定することと
を備える、請求項２１に記載の方法。
【請求項２５】
前記ＵＥのＳＩ読取ギャップを決定することは、
前記ＵＥからのアップリンクで、データの喪失送信を検出することと、
前記ＵＥからのデータの喪失送信に基づいて、前記ＳＩ読取ギャップを決定することと
を備える、請求項２１に記載の方法。
【請求項２６】
前記ＵＥのＳＩ読取ギャップを決定することは、
前記ＵＥからのアップリンクで、サウンディング基準信号（ＳＲＳ）の喪失送信を検出することと、
前記ＵＥからのＳＲＳの喪失送信に基づいて、前記ＳＩ読取ギャップを決定することと
を備える、請求項２１に記載の方法。
【請求項２７】
前記ＵＥのＳＩ読取ギャップを決定することは、前記ＵＥのための、ハイブリッド自動再送信（ＨＡＲＱ）を用いたデータ伝送の統計に基づいて、前記ＳＩ読取ギャップを決定することを備え、
前記統計は、喪失したアクノレッジメント（ＡＣＫ）情報、または正しい復号のためのデータ送信数、またはこれら両方に関連する、請求項２１に記載の方法。
【請求項２８】
前記ＵＥと通信することは、前記ＵＥのＳＩ読取ギャップによって、前記ＵＥのためのハイブリッド自動再送信（ＨＡＲＱ）を用いたデータ送信のためのターゲット終了を延長することを備える、請求項２１に記載の方法。
【請求項２９】
前記ＵＥのＳＩ読取ギャップに基づいて、同調解除フレームを識別することをさらに備え、
前記ＵＥは、前記少なくとも１つの近隣セルからシステム情報を読み取るために、前記同調解除サブフレームの間、前記サービス提供セルから同調解除する、請求項２１に記載の方法。
【請求項３０】
前記ＵＥと通信することは、
前記同調解除サブフレームにおいて、ダウンリンクにおける前記ＵＥとの通信を保留することと、
前記同調解除サブフレームにおいて、アップリンクにおける前記ＵＥとの通信を継続することと
を備える、請求項２９に記載の方法。
【請求項３１】
前記ＵＥと通信することは、前記同調解除サブフレーム以外のサブフレームで、前記ＵＥへ制御情報を送信することを備える、請求項２９に記載の方法。
【請求項３２】
前記ＵＥと通信することは、前記同調解除サブフレーム以外のサブフレームで、アップリンクにおけるデータの新たな送信のために前記ＵＥをスケジュールすることを備える、請求項２９に記載の方法。
【請求項３３】
前記ＵＥと通信することは、
第１のサブフレームで、前記ＵＥから伝送ブロックの送信を受信することと、
第３のサブフレームで、前記ＵＥからの伝送ブロックの送信を保留するために、第２のサブフレームで、前記ＵＥへ、前記伝送ブロックに関する偽のアクノレッジメント（ＡＣＫ）を送信することと、ここで、前記第３のサブフレームは、前記同調解除サブフレームのうちの１つである、
前記第３のサブフレームの後の第４のサブフレームで、前記伝送ブロックを送信するために、前記ＵＥをスケジュールすることと
を備える、請求項２９に記載の方法。
【請求項３４】
前記ＵＥと通信することは、
前記同調解除サブフレーム以外の複数のサブフレームで、前記ＵＥから受信した伝送ブロックの複数の送信を結合することと、
前記同調解除サブフレームのうちの少なくとも１つで、前記ＵＥから受信した伝送ブロックのうちの少なくとも１つの送信を結合することをスキップすることと、
前記結合後、前記ＵＥからの伝送ブロックを復元するために、前記伝送ブロックの複数の送信を復号することと
を備える、請求項２９に記載の方法。
【請求項３５】
前記ＵＥと通信することは、
前記ＵＥが前記サブフレームの一部の間にのみ前記サービス提供セルと通信するサブフレームを識別することと、
前記ＵＥが、前記サブフレームの一部の間のみ、前記サービス提供セルと通信することを考慮するために、前記識別されたサブフレームにおけるデータ送信のための変調および符号化スキームを選択することと
を備える、請求項２１に記載の方法。
【請求項３６】
前記ＵＥが周波数間システム情報読取を実行しているか、周波数内システム情報読取を実行しているかに基づいて、前記識別されたサブフレームにおいて、前記ＵＥが前記サービス提供セルと通信する時間の長さを推定すること、をさらに備える請求項３５に記載の方法。
【請求項３７】
前記ＵＥと通信することは、
前記ＵＥに伝送ブロックの送信を送ることと、
前記ＵＥからの前記伝送ブロックの喪失アクノレッジメント（ＡＣＫ）情報を検出することと、
前記ＵＥが近隣セルからシステム情報を読み取ることによって、前記喪失ＡＣＫ情報が、前記ＵＥによって送信されなかったＡＣＫである可能性が高いと判定することと、
前記伝送ブロックのためのＡＣＫ情報を受信するために、前記伝送ブロックの別の送信を前記ＵＥへ送ることと
を備える、請求項２１に記載の方法。
【請求項３８】
前記ＵＥと通信することは、
前記ＵＥにダウンリンク許可および伝送ブロックの送信を送ることと、
前記ＵＥからの前記伝送ブロックのための喪失アクノレッジメント（ＡＣＫ）情報を検出することと、
前記ＵＥが近隣セルからシステム情報を読み取った場合、前記ダウンリンク許可を喪失することによって、前記喪失ＡＣＫ情報が、前記ＵＥによって送信されなかった否定的アクノレッジメント（ＮＡＣＫ）である可能性が高いと判定することと、
前記ＵＥに伝送ブロックの別の送信を送ることと
を備える、請求項２１に記載の方法。
【請求項３９】
無線通信のための装置であって、
少なくとも１つの近隣セルからシステム情報を読み取るために、ユーザ機器（ＵＥ）によって自律的に選択されるシステム情報（ＳＩ）読取ギャップを決定する手段と、
前記ＵＥのＳＩ読取ギャップを考慮することによって、サービス提供セルによって前記ＵＥと通信する手段と、
を備える装置。
【請求項４０】
前記ＵＥのＳＩ読取ギャップを決定する手段は、
前記ＵＥから、前記ＳＩ読取ギャップを示す同調解除情報を受信する手段と、
前記同調解除情報に基づいて、前記ＵＥのＳＩ読取ギャップを決定する手段と
を備える、請求項３９に記載の装置。
【請求項４１】
前記ＵＥのＳＩ読取ギャップを決定する手段は、
前記少なくとも１つの近隣セルのためのタイミング情報を取得する手段と、
前記少なくとも１つの近隣セルのためのタイミング情報に基づいて、前記ＵＥのＳＩ読取ギャップを決定する手段と
を備える、請求項３９に記載の装置。
【請求項４２】
前記ＵＥのＳＩ読取ギャップを決定する手段は、前記ＵＥからのアクノレッジメント（ＡＣＫ）情報の喪失送信、または前記ＵＥからのデータの喪失送信、または前記ＵＥからのサウンディング基準信号（ＳＲＳ）の喪失送信、または前記ＵＥのためのハイブリッド自動反復要求（ＨＡＲＱ）を用いたデータ送信の統計、または正確な復号のためのデータ送信数、またはこれらの組み合わせに基づいて、前記ＳＩ読取ギャップを決定する手段を備える、請求項３９に記載の装置。
【請求項４３】
前記ＵＥと通信する手段は、
前記ＵＥのＳＩギャップ読取に基づいて、同調解除サブフレームを識別する手段と、ここで、前記ＵＥは、前記少なくとも１つの近隣セルからシステム情報を読み取るために、前記同調解除サブフレームの間、前記サービス提供セルから同調解除する、
前記同調解除サブフレームにおけるダウンリンクでの前記ＵＥとの通信を保留する手段と、
前記同調解除サブフレームにおけるアップリンクでの前記ＵＥとの通信を継続する手段と
を備える、請求項３９に記載の装置。
【請求項４４】
前記ＵＥと通信する手段は、
前記同調解除サブフレーム以外の複数のサブフレームで、前記ＵＥから受信した伝送ブロックの複数の送信を結合する手段と、
前記同調解除サブフレームのうちの少なくとも１つで、前記ＵＥから受信した伝送ブロックのうちの少なくとも１つの送信を結合することをスキップする手段と、
前記結合後、前記ＵＥからの伝送ブロックを復元するために、前記伝送ブロックの複数の送信を復号する手段と
を備える、請求項３９に記載の装置。
【請求項４５】
無線通信のための装置であって、
少なくとも１つの近隣セルからシステム情報を読み取るために、ユーザ機器（ＵＥ）によって自律的に選択されるシステム情報（ＳＩ）読取ギャップを決定し、
前記ＵＥのＳＩ読取ギャップを考慮することによって、サービス提供セルによって前記ＵＥと通信する
ように構成された少なくとも１つのプロセッサ、を備える装置。
【請求項４６】
コンピュータ・プログラム製品であって、
少なくとも１つのコンピュータに対して、少なくとも１つの近隣セルからシステム情報を読み取るために、ユーザ機器（ＵＥ）によって自律的に選択されるシステム情報（ＳＩ）読取ギャップを決定させるためのコードと、
前記少なくとも１つのコンピュータに対して、前記ＵＥのＳＩ読取ギャップを考慮することによって、サービス提供セルによって前記ＵＥと通信させるためのコードと、
を備える非一時的なコンピュータ読取可能な媒体、
を備えるコンピュータ・プログラム製品。
【発明の詳細な説明】
【優先権の主張】
【０００１】
本願は、本願の譲受人に譲渡され、本明細書において参照によって組み込まれている、自律的なシステム情報読取中のパケット損失を緩和することを容易にする方法および装置（METHOD AND APPARATUS THAT FACILITATES MITIGATING PACKET LOSS DURING AUTONOMOUS SYSTEM INFORMATION READING）、と題された、２０１０年１月１８日出願の米国仮出願番号６１／２９５，８９９に対する優先権を主張する。
【技術分野】
【０００２】
本開示は、一般に、通信に関し、さらに詳しくは、無線通信のための技術に関する。
【背景技術】
【０００３】
無線通信システムは、例えば音声、ビデオ、パケット・データ、メッセージング、ブロードキャスト等のようなさまざまな通信コンテンツを提供するために広く開発された。これら無線システムは、利用可能なシステム・リソースを共有することにより、複数のユーザをサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含む。
【０００４】
無線通信システムは、多くのユーザ機器（ＵＥ）のための通信をサポートしうる多くの基地局を含みうる。各基地局は、１または複数のセルをサポートする。ここで、用語「セル」は、この有効通信範囲エリアにサービス提供している基地局および／または基地局サブシステムの有効通信範囲エリアを称しうる。ＵＥは、ダウンリンクおよびアップリンクによってセルと通信しうる。ダウンリンク（すなわち順方向リンク）は、セルからＵＥへの通信リンクを称し、アップリンク（すなわち逆方向リンク）は、ＵＥからセルへの通信リンクを称する。
【０００５】
ＵＥは、多くのセルの有効通信範囲内に存在しうる。ＵＥにサービス提供するために１つのセルが選択されうる。これは、サービス提供セルと称されうる。ＵＥは、サービス提供セルと通信しうるが、例えば、現在のサービス提供セルよりも近隣セルの方が、ＵＥにサービスを提供するための良好な候補であるかをチェックするために、測定を定期的に行うか、および／または、近隣セルから適切な情報を受信しうる。ＵＥへのおよび／またはＵＥからのデータ送信は、ＵＥが測定を行ったり、および／または、近隣セルから適切な情報を受信したりする時間の間、悪影響を受けうる。これらの時間の間、データ損失を緩和することが望ましい。
【発明の概要】
【０００６】
本明細書では、ＵＥによる自律的なシステム情報（ＳＩ）読取中におけるデータ損失を緩和するための技術が記載される。自律的なＳＩ読取のために、ＵＥは、１または複数の近隣セルからシステム情報をいつ読み取るのかを自律的に決定し、ＵＥが近隣セル（単数または複数）からシステム情報をいつ読み取るのかを、サービス提供セルに通知しない。データ損失は、ＵＥが近隣セル（単数または複数）からシステム情報を読み取るためにサービス提供セルと同調を解除した場合に生じうる。データ損失は、さまざまな方式で、ＵＥおよび／またはサービス提供セルによって緩和されうる。
【０００７】
１つの設計では、ＵＥは、近隣セルからシステム情報を読み取るために、ＳＩ読取ギャップを自律的に選択しうる。ＵＥは、サービス提供セルからのダウンリンク送信の受信を保留し、ＳＩ読取ギャップ中に、近隣セルからシステム情報を受信しうる。１つの設計では、ＵＥは、ＳＩ読取ギャップ中に、アップリンクでサービス提供セルへ送信するための機能を維持しうる。別の設計では、ＵＥは、ＵＥが近隣セル（単数または複数）からシステム情報を読み取るためにいつ同調を解除するのかを確認するためにサービス提供セルによって使用されうる情報を送信しうる。サービス提供セルは、後述するように、データ損失を緩和することができるように、ＵＥのダウンリンクおよび／またはアップリンクでのデータ送信をスケジュールするために、この情報を使用しうる。
【０００８】
１つの設計では、サービス提供セルは、少なくとも１つの近隣セルからシステム情報を読み取るためにＵＥによって自律的に選択されるＳＩ読取ギャップを決定しうる。サービス提供セルは、ＵＥから受信した同調解除情報、または、近隣セルのためのタイミング情報、または、ＵＥからの喪失アクノレッジメント（ＡＣＫ）および／またはデータの検出、または、ＵＥのためのハイブリッド自動反復要求（ＨＡＲＱ）を用いたデータ送信の統計等に基づいて、ＳＩ読取ギャップを決定しうる。サービス提供セルは、ＵＥのＳＩ読取ギャップを考慮することによって、ＵＥと通信しうる。１つの設計では、サービス提供セルは、ＳＩ読取ギャップによって、ＵＥのためのＨＡＲＱを用いたデータ送信のためのターゲット終了を延長しうる。別の設計では、サービス提供セルは、ＳＩ読取ギャップ中、ＵＥとの通信を保留（例えば、制御情報および／またはデータの送信を回避）しうる。サービス提供セルはまた、ＳＩ読取ギャップによるデータ損失を緩和するために、その他の動作をも実行しうる。
【０００９】
本開示のさまざまな態様および特徴が、以下にさらに詳細に記載される。
【図面の簡単な説明】
【００１０】
【図１】図１は、無線通信システムを示す。
【図２】図２は、典型的なフレーム構造を示す。
【図３】図３は、ＨＡＲＱを用いたダウンリンクにおける典型的なデータ送信を示す。
【図４】図４は、ＨＡＲＱを用いたアップリンクにおける典型的なデータ送信を示す。
【図５】図５は、セルによるシステム情報の典型的な送信を示す。
【図６】図６は、ＵＥによる近隣セルからのシステム情報の読み取りを示す。
【図７】図７は、ＵＥによる自律的なＳＩ読取中のＵＥによるデータ損失を緩和するための処理を示す。
【図８】図８は、ＵＥによる自律的なＳＩ読取中のＵＥによるデータ損失を緩和するための装置を示す。
【図９】図９は、ＵＥによる自律的なＳＩ読取中のサービス提供セルによるデータ損失を緩和するための処理を示す。
【図１０】図１０は、ＵＥによる自律的なＳＩ読取中のサービス提供セルによるデータ喪失を緩和するための装置を示す。
【図１１】図１１は、基地局およびＵＥのブロック図を示す。
【発明を実施するための形態】
【００１１】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（ＷＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書に記載された技術は、他のシステムおよびラジオ技術と同様に、上述されたシステムおよびラジオ技術のために使用されうる。明確化のために、これら技術のある態様は、以下において、ＬＴＥについて記載されており、ＬＴＥ用語が以下の説明の多くで使用される。
【００１２】
図１は、ＬＴＥシステムまたはその他のあるシステムでありうる無線通信システム１００を示す。システム１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢ１１０は、特定の地理的領域のための有効通信範囲を提供し、有効通信範囲エリア内に位置するＵＥのための通信をサポートしうる。システム容量を改善するために、ｅＮＢの有効通信範囲全体が、多数（例えば３つ）の、より小さなエリアへ分割されうる。小さなエリアおのおのは、それぞれのｅＮＢサブシステムによってサービス提供されうる。３ＧＰＰでは、用語「セル」は、この有効通信範囲エリアにサービス提供しているｅＮＢおよび／またはｅＮＢサブシステムのうちの最小の有効通信範囲エリアを称しうる。
【００１３】
ネットワーク・コントローラ１３０は、ｅＮＢのセットに接続しており、これらｅＮＢに対して調整および制御を提供しうる。ネットワーク・コントローラ１３０は、モビリティ管理エンティティおよび／またはその他のあるネットワーク・エンティティを含みうる。
【００１４】
ＵＥ１２０は、システムの全体にわたって分布しうる。そして、おのおののＵＥは、固定式または移動式でありうる。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック、タブレット等でありうる。
【００１５】
システム１００は、同期システムまたは非同期システムでありうる。同期システムの場合、ｅＮＢは、同じタイミングを有し、異なるｅＮＢからの送信は、時間的にほぼ揃えられうる。非同期システムの場合、ｅＮＢは、異なるタイミングを有し、異なるｅＮＢからの送信は、時間的に揃えられない場合がある。ここに記載された技術は、同期システムと非同期システムとの両方のために使用されうる。
【００１６】
図２は、ＬＴＥにおける周波数分割デュプレクス（ＦＤＤ）のためのフレーム構造２００を示す。ＦＤＤの場合、ダウンリンクおよびアップリンクは、個別の周波数チャネルを割り当てられうる。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定めた持続時間を有し、０乃至９のインデクスを付された１０個のサブフレームへ分割されうる。サブフレームはそれぞれ２つのスロットを含みうる。ラジオ・フレームはそれぞれ、０乃至１９のインデクスを備えた２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００１７】
ダウンリンク用の各サブフレームは、図２に示すように、時分割多重化（ＴＤＭ）されうる制御領域およびデータ領域を含みうる。制御領域は、サブフレームのうちの最初のＫ個のシンボル期間を含みうる。ここで、Ｋは、１，２，３または４に等しく、サブフレーム毎に変動しうる。制御領域は、ＵＥのための制御情報を伝送しうる。データ領域は、サブフレームのうちの残りの（２Ｌ−Ｑ）個のシンボル期間を含み、ＵＥのためのデータおよび／またはその他の情報を伝送しうる。
【００１８】
セルは、サブフレームの制御領域で、物理制御フォーマット・インジケータ・チャネル（ＰＣＦＩＣＨ）、物理ＨＡＲＱインジケータ・チャネル（ＰＨＩＣＨ）、および物理ダウンリンク制御チャネル（ＰＤＣＣＨ）を送信しうる。ＰＣＦＩＣＨは、サブフレームの最初のシンボル期間において送信されうる。そして、制御領域のサイズ（つまり、Ｋ値）を伝送しうる。ＰＨＩＣＨは、ＵＥによって、ＨＡＲＱを用いてアップリンクでなされたデータ送信について、ダウンリンクでアクノレッジメント（ＡＣＫ）情報を伝送しうる。ＰＤＣＣＨは、ＵＥのためのダウンリンク制御情報（ＤＣＩ）を伝送しうる。ＤＣＩは、ダウンリンク許可、アップリンク許可、電力制御情報等を備えうる。セルは、サブフレームのデータ領域で物理ダウンリンク共有チャネル（ＰＤＳＣＨ）を送信しうる。ＰＤＳＣＨは、ダウンリンクで、データ送信のためにスケジュールされたＵＥのためのトラフィック・データを伝送しうる。
【００１９】
セルは、例えば図２に示すように、一定のラジオ・フレームのスロット１におけるシンボル期間０乃至３で、物理ブロードキャスト・チャネル（ＰＢＣＨ）を送信しうる。ＰＢＣＨは、例えばマスタ情報ブロック（ＭＩＢ）のような、いくつかのシステム情報を伝送しうる。セルは、例えばシステム情報ブロック（ＳＩＢ）のようなその他いくつかの情報を、一定のサブフレームで、ＰＤＳＣＨで送信しうる。ＭＩＢは、少量の最も重要なシステム情報を伝送し、ＳＩＢは、残りのシステム情報を伝送しうる。ＭＩＢおよびＳＩＢによって、ＵＥは、ダウンリンクで送信を受信すること、および／または、アップリンクで送信することが可能となりうる。
【００２０】
システムは、データ送信の信頼性を改善するためにＨＡＲＱをサポートし、変動するチャネル条件のためのレート適合をサポートしうる。ＨＡＲＱの場合、送信機は、伝送ブロックを送信し、必要であれば、伝送ブロックが受信機によって正しく復号されるまで、または、伝送ブロックのために最大数の送信がなされるまで、または、その他いくつかの終了条件に達するまで、１または複数の追加の送信を行いうる。伝送ブロックはまた、パケット、コードワード等とも称されうる。伝送ブロックの送信は、ＨＡＲＱ送信と称されうる。
【００２１】
図３は、ＨＡＲＱを用いたダウンリンクにおけるデータ送信の例を示す。サービス提供セルは、ＵＥへ送信するためのデータを有し、データ・シンボルを取得するために、伝送フォーマットに基づいて、伝送ブロックＡを処理しうる。伝送フォーマットは、変調および符号化スキーム（ＭＣＳ）、伝送ブロック（ＴＢ）サイズ、および／または、伝送ブロックのためのその他のパラメータに関連付けられうる。サービス提供セルは、サブフレームｉでＵＥへ、ＰＤＣＣＨでダウンリンク許可を、ＰＤＳＣＨで伝送ブロックＡの第１の送信を、送りうる。ダウンリンク許可は、第１の送信のための適切なパラメータを伝送しうる。
【００２２】
ＵＥは、サービス提供セルから、ダウンリンク許可と、伝送ブロックＡの第１の送信とを受信し、ダウンリンク許可に基づいて、第１の送信を処理しうる。ＵＥは、伝送ブロックＡを誤って復号することがあり、サブフレームｉ＋Ｑで、否定的アクノレッジメント（ＮＡＣＫ）送信しうる。ここで、Ｑは、ＨＡＲＱフィードバック遅れであり、４またはその他いくつかの値に等しくなりうる。サービス提供セルは、ＵＥからＮＡＣＫを受信し、サブフレームｉ＋Ｍにおいて、ＰＤＣＣＨで別のダウンリンク許可を、ＰＤＳＣＨで伝送ブロックＡの第２の送信を、送信しうる。ここで、Ｍは、８またはその他いくつかの値でありうる。ＵＥは、サービス提供セルから、ダウンリンク許可と、伝送ブロックＡの第２の送信とを受信し、第１および第２の送信を処理しうる。ＵＥは、伝送ブロックＡを正しく復号し、サブフレームｉ＋Ｍ＋Ｑで、ＡＣＫを送信しうる。サービス提供セルは、ＵＥからＡＣＫを受信し、伝送ブロックＡの送信を終了しうる。その他の伝送ブロックは、同様の方式で、ダウンリンクで送信されうる。
【００２３】
図４は、ＨＡＲＱを用いたアップリンクにおけるデータ送信の例を示す。サービス提供セルは、ＵＥから、スケジューリング要求を受信し、アップリンクにおけるデータ送信のためにＵＥをスケジュールし、ＵＥへリソースを割り当てうる。サービス提供セルは、サブフレームｉにおいて、ＰＤＣＣＨでＵＥのためのアップリンク許可を送信しうる。ＵＥは、サービス提供セルからアップリンク許可を受信しうる。そして、このアップリンク許可にしたがって、サブフレームｉ＋Ｐにおいて、物理アップリンク共有チャネル（ＰＵＳＣＨ）で、伝送ブロックＸの第１の送信を送りうる。ここで、Ｐは、４またはその他いくつかの値に等しくなりうる。サービス提供セルは、ＵＥから第１の送信を受信して処理し、伝送ブロックＸが誤って復号されたことを判定しうる。サービス提供セルは、その後、サブフレームｉ＋Ｐ＋Ｑにおいて、ＰＨＩＣＨでＮＡＣＫを、ＰＤＣＣＨで別のアップリンク許可を送信しうる。ここで、Ｑは、ＨＡＲＱフィードバック遅れである。ＵＥは、アップリンク許可を受信し、サブフレームｉ＋２Ｐ＋Ｑにおいて、ＰＵＳＣＨで、伝送ブロックＸの第２の送信を送りうる。サービス提供セルは、ＵＥから第２の送信を受信し、第１および第２の送信を処理し、伝送ブロックＸが正しく復号されていると判定しうる。サービス提供セルは、その後、サブフレームｉ＋２Ｐ＋２Ｑにおいて、ＰＨＩＣＨで、ＵＥへＡＣＫを送信しうる。ＵＥは、ＡＣＫを受信し、伝送ブロックＸの送信を終了しうる。他の伝送ブロックは、同様の方式で、アップリンクで送信されうる。
【００２４】
ＬＴＥは、ダウンリンクで非同期ＨＡＲＱを、アップリンクで同期ＨＡＲＱをサポートする。非同期ＨＡＲＱの場合、伝送ブロックの送信はそれぞれ、任意のサブフレームでスケジュールされ、送信されうる。同期ＨＡＲＱの場合、Ｍが８またはその他いくつかの値に等しい場合、例えば、毎Ｍ番目のサブフレームを含む単一のＨＡＲＱインタレースにおけるサブフレームのように、送信機および受信機に演繹的に知られているサブフレームで、伝送ブロックの送信がなされうる。同期ＨＡＲＱの場合、追加の送信（すなわち、再送信）が、ＮＡＣＫによってトリガされ、この追加の送信のために、許可が送信されることもされないこともある。同期ＨＡＲＱおよび非同期ＨＡＲＱの両方について、送信機は、ターゲット終了と称されうる、ターゲット回数の送信後に、受信機によって伝送ブロックが確実に（例えば、一定の確率を持って）復号されるように、各伝送ブロックを処理（例えば、符号化および変調）しうる。
【００２５】
ＵＥは、多くのセルの有効通信範囲内に存在しうる。ＵＥにサービス提供するために１つのセルが選択されうる。これは、サービス提供セルと称されうる。ＵＥは、近隣セルのパイロット測定を定期的に行い、パイロット測定値をサービス提供セルへレポートしうる。サービス提供セルは、ＵＥに対して、対象近隣セルから適切なシステム情報を読み取るように指示しうる。ＵＥはその後、近隣セルからシステム情報を読み取り、近隣セルからのシステム情報に基づいて、各近隣セルのセル・グローバル・アイデンティティ（ＣＧＩ）および／またはその他の適切な情報を取得しうる。ＵＥは、近隣セルのＣＧＩおよび／またはその他の適切な情報を、サービス提供セルへレポートしうる。サービス提供セルは、ハンドオーバおよび／またはその他の機能を実行するために、このレポートされた情報を使用しうる。
【００２６】
ＵＥは、近隣セルのための周波数間または周波数内かのいずれかのシステム情報（ＳＩ）読み取りを実行しうる。周波数間ＳＩ読取の場合、サービス提供セルおよび近隣セルは、別の周波数で動作しうる。そして、ＵＥは、近隣セルからシステム情報を読み取るために、ラジオ周波数（ＲＦ）受信機を、サービス提供セルの周波数から、近隣セルの周波数に同調させうる。ＵＥは、ＲＦ同調およびトラッキング・ループの収束のために、数１００マイクロ秒（μｓ）のオーダの時間を必要とするであろう。周波数内ＳＩ読取の場合、サービス提供セルおよび近隣セルは、同じ周波数で動作しうる。そして、ＵＥは、システム情報を読み取るために、近隣セルに直ちに切り換えを行いうる。
【００２７】
図５は、セルによるシステム情報の典型的な送信を示す。セルは、すべてのラジオ・フレームのサブフレーム０において、ＰＢＣＨでＭＩＢを送信しうる。したがって、ＭＩＢの周期は、１０ミリ秒でありうる。セルはまた、ラジオ・フレーム１つおきに、サブフレーム５において、ＰＤＳＣＨで、ＳＩＢタイプ１（ＳＩＢ１）をも送信しうる。したがって、ＳＩＢ１の周期は、２０ミリ秒でありうる。セルはまた、これらＳＩＢのためにスケジュールされたように、ＰＤＳＣＨで、別のタイプのＳＩＢをも送信しうる。サービス提供セルによって指示された場合、ＵＥは、近隣セルからＭＩＢおよびＳＩＢ１を読み取りうる。
【００２８】
図６は、ＵＥによる近隣セルからのＭＩＢまたはＳＩＢ１の読み取りを示す。ＵＥは、まず、サービス提供セルと通信しうる。時間Ｔ１において、ＵＥは、サービス提供セルから近隣セルへ同調しうる。時間Ｔ２において、ＵＥは、近隣セルからＭＩＢまたはＳＩＢ１の読み取りを開始しうる。時間Ｔ３において、ＵＥは、ＭＩＢまたはＳＩＢ１の読み取りを完了し、近隣セルからサービス提供セルへと同調を戻しうる。時間Ｔ４において、ＵＥは、サービス提供セルとの通信を再開しうる。
【００２９】
図６に示されるように、近隣セルに同調するための時間長さは、ＴＯＵＴとして示されうる。ＭＩＢまたはＳＩＢ１を読み取るための時間長さは、ＴＲＥＡＤとして示されうる。サービス提供セルに同調を戻すための時間長さは、ＴＢＡＣＫとして示されうる。近隣セルのＭＩＢまたはＳＩＢ１を一度読み取るための合計時間長さは、ＳＩ読取ギャップ、同調解除時間等と称されうる。ＳＩ読取ギャップは、ＴＧＡＰとして示され、ＴＯＵＴ＋ＴＲＥＡＤ＋ＴＢＡＣＫに等しくなりうる。一般に、ＴＯＵＴおよびＴＢＡＣＫは、ＵＥの機能に依存しうる。１つの設計では、およそ１ミリ秒（または、１サブフレーム）が、ＴＯＵＴおよびＴＢＡＣＫのためにバジェットされうる。ＴＲＥＡＤは、ＭＩＢまたはＳＩＢ１のためにおよそ１ミリ秒（または、１サブフレーム）でありうる。したがって、合計３ミリ秒（または、３サブフレーム）が、近隣セルからのＭＩＢまたはＳＩＢ１のおのおのの読み取りのためのＳＩ読取ギャップのためにバジェットされうる。ＳＩ読取ギャップはまた、３ミリ秒よりも長い場合も短い場合もありうる。
【００３０】
図５に示されるように、近隣セルは１０ミリ秒毎にＰＢＣＨを送信しうる。ＵＥは、ある貧弱なチャネル条件の下でＭＩＢを正しく復号するために、近隣セルから同じＭＩＢペイロードを伝送するＰＢＣＨの、最大３つの送信を受信する必要がありうる。ＭＩＢは４０ミリ秒毎に変化しうるので、ＵＥは、同じＭＩＢペイロードについて、少なくとも３つのＰＢＣＨの送信を取得することを保証するために、最大５つのＰＢＣＨの送信を受信する必要がありうる。ＵＥは、近隣セルからＭＩＢを５回読み取るために、合計して１５ミリ秒間、サービス提供セルとの同調を解除しうる。同様に、ＵＥは、ある貧弱なチャネル条件の下でＳＩＢ１を正しく復号するために、近隣セルから、最大５つのＰＤＳＣＨの送信を受信する必要がありうる。ＵＥは、近隣セルからＳＩＢ１を５回読み取るために、合計して１５ミリ秒間、サービス提供セルとの同調を解除しうる。一般に、同調解除期間は、ＵＥがＭＩＢまたはＳＩＢを復号するために必要とする送信回数に依存し、チャネル条件に依存して変化しうる。
【００３１】
近隣セルのシステム情報（例えば、ＭＩＢおよびＳＩＢ１）を読み取るためにＵＥによって必要とされる合計時間は、近隣セルのためのＳＩ読取時間と称されうる。合計１５０ミリ秒（または、１５ラジオ・フレーム）が、ＳＩ読取時間のためにバジェットされうる。ＵＥは、ＳＩ読取の一部の時間のみ、近隣セルに同調し、ＳＩ読取の残りの時間の間、サービス提供セルに同調しうる。
【００３２】
システムは、ＵＥによる自律的なＳＩ読取をサポートしうる。自律的なＳＩ読取の場合、ＵＥは、１または複数の近隣セルからシステム情報をいつ読み取るのかを自律的に決定し、ＵＥが近隣セル（単数または複数）からシステム情報をいつ読み取るのかを、サービス提供セルに通知しない。ＵＥのＳＩ読取ギャップは、ダウンリンクにおけるデータ送信に悪影響を与えうる。特に、サービス提供セルは、ＵＥのＳＩ読取ギャップを知らないし、ＳＩ読取ギャップ中に、ダウンリンクでＵＥへデータを送信しうる。ＵＥは、各ＳＩ読取ギャップの間、ダウンリンクでいくつかの（例えば、３つの）サブフレームを喪失し、各ＳＩ読取ギャップ中にＵＥへ送信されたデータが損失されうる。ダウンリンクでサブフレームが喪失されることはまた、ＳＩ読取ギャップ中にダウンリンクで送信される、ＰＨＩＣＨにおけるアクノレッジメントの損失と、ＰＤＣＣＨにおけるアップリンク許可の損失とによって、アップリンクでのデータ送信にも悪影響を与えうる。
【００３３】
ＵＥのＳＩ読取ギャップは、その他の理由によってもアップリンク送信に悪影響を与えうる。周波数間ＳＩ読取の場合、ＵＥは、各ＳＩ読取ギャップの開始時において、近隣セルにＲＦ受信機を同調しうる。ＵＥは、ダウンリンク受信のためにＲＦ受信機のために１つの発振器（ダウンリンク発振器と称される）を、アップリンク送信のためにＲＦ送信機のために別の発振器（アップリンク発振器と称される）を有しうる。アップリンク発振器は、ダウンリンク発振器に結合されうる。そして、ダウンリンク発振器がＳＩ読取のために近隣セルに同調された場合に、同調が解除されうる。ＵＥはその後、ダウンリンクでの周波数間ＳＩ読取を実行する場合には常に、アップリンクで不連続送信（ＤＴＸ）を実行しうる。ＳＩ読取ギャップ中のＵＥによるアップリンクＤＴＸは、周波数間測定ギャップ中にアップリンクで送信していないＵＥに対する要件に類似しうる。周波数内ＳＩ読取の場合、ＵＥは、サービス提供セルにおけるダウンリンク発振器を維持し、ダウンリンクにおけるＳＩ読取は、ＵＥによるアップリンクＤＴＸに至らない。
【００３４】
アップリンクＤＴＸは、アップリンクおよびダウンリンクにおけるデータ送信に悪影響を与えうる。ＵＥは、アップリンクＤＴＸ中に、サービス提供セルへデータを送信できないことがある。したがって、アップリンクＤＴＸの１つの悪影響は、アップリンクにおけるスループットの損失でありうる。ＵＥはまた、アップリンクＤＴＸの間、ダウンリンクにおけるデータ送信のためにＡＣＫ／ＮＡＣＫを送信できないことがある。したがって、アップリンクＤＴＸのもう１つの悪影響は、ダウンリンクにおけるスループットの損失でありうる。例えば、各伝送ブロックの平均送信数が、ダウンリンクで１．１である場合（例えば、ターゲット終了が、１０％の誤り率を持つ１つのＨＡＲＱ送信である場合）、サブフレームにおいてＡＣＫ／ＮＡＣＫを失うことにより、各伝送ブロックの送信数を効果的に２倍にする。
【００３５】
さまざまな技術は、ＵＥによる自律的なＳＩ読取中におけるデータ損失を緩和するために使用されうる。これら技術のうちのいくつかは、ＵＥに適用可能であり、ＵＥベースの設計と称されうる。その他の技術は、ＵＥのサービス提供セルに適用可能であり、セル・ベースの設計と称されうる。
【００３６】
自律的なＳＩ読取中におけるデータ損失を緩和する第１のＵＥベースの設計では、ＵＥは、サービス提供セルへ、意図された同調解除パターンをレポートしうる。ＵＥは、システム情報を読み取る近隣セルのリストを有しうる。各近隣セルについて、ＵＥは、（例えば、サービス提供セルのタイミングに対する）近隣セルのタイミングを決定し、ＵＥが、近隣セルからのシステム情報を読み取ることを意図している間である期間またはＳＩ読取ギャップを確認しうる。１つの設計では、意図された同調解除パターンの情報は、各近隣セルのためのタイミングおよびＳＩ読取ギャップを含みうる。別の設計では、意図された同調解除パターンの情報は、近隣セルからシステム情報を読み取るためにＵＥが同調解除することを意図しているサービス提供セルのサブフレームのリストを含みうる。意図された同調解除パターンの情報はまた、その他のタイプの情報をも備えうる。
【００３７】
自律的なＳＩ読取中におけるデータ損失を緩和する第２のＵＥベースの設計では、ＵＥは、例えば、ＵＥのＳＩ読取時間前または時間中に、近隣セルのタイミング情報を、サービス提供セルへレポートしうる。各近隣セルのタイミング情報は、近隣セルのタイミングと、サービス提供セルのタイミングとの間の時間オフセットを含みうる。サービス提供セルは、ＵＥのＳＩ読取ギャップを確認するために、近隣セルのタイミング情報を使用しうる。特に、サービス提供セルは、近隣セルのためのタイミング情報に基づいて、各近隣セルのサブフレーム０の開始を決定しうる。サービス提供セルは、ＵＥが、近隣セルのサブフレーム０，５で、各近隣セルからシステム情報を読み取るであろうと仮定しうる。サービス提供セルは、その後、近隣セルのサブフレーム０，５の既知の位置に基づいて、ＵＥのＳＩ読取ギャップを判定しうる。サービス提供セルは、ＵＥのＳＩ読取ギャップを回避する方式で、ダウンリンクおよび／またはアップリンクでのデータ送信をスケジュールしうる。
【００３８】
自律的なＳＩ読取中のデータ損失を緩和する第３のＵＥベースの設計では、ＵＥは、周波数内ＳＩ読取のためのＳＩ読取ギャップの間、ダウンリンク発振器からアップリンク発振器を切断しうる。これによって、アップリンクＤＴＸは、ＳＩ読取ギャップ中に回避されるようになりうる。ＵＥは、サービス提供セルへのダウンリンクのために、周波数トラッキング・ループ（ＦＴＬ）と時間トラッキング・ループ（ＴＴＬ）とを維持しうる。そして、サービス提供セルから受信したダウンリンク送信に基づいて、ダウンリンクＦＴＬおよびＴＴＬを更新しうる。ＵＥはまた、ダウンリンクＦＴＬおよびＴＴＬに接続されたサービス提供セルへのアップリンクのために、ＦＴＬおよびＴＴＬを維持しうる。そして、サービス提供セルから受信した調節値に基づいて、アップリンクＦＴＬおよびＴＴＬを更新しうる。周波数内ＳＩ読取を実行する前に、ＵＥは、アップリンクＴＦＬおよびＴＴＬを更新することをスキップ（例えば、フリーズ）しうる。ＵＥは、近隣セルからのダウンリンク送信に基づいて、ダウンリンクＦＴＬおよびＴＴＬを更新し、近隣セルをトラッキングしているダウンリンクＦＴＬおよびＴＴＬを用いて、近隣セルからシステム情報を読み取りうる。ＵＥは、アップリンクＦＴＬおよびＴＴＬを、フリーズされた値において維持し、ダウンリンクＦＴＬおよびＴＴＬが近隣セルをトラッキングしている場合であっても、アップリンクでサービス提供セルへ送信することができる。
【００３９】
ＵＥはまた、周波数間ＳＩ読取のためのＳＩ読取ギャップ中にも、ダウンリンク発振器からアップリンク発振器を切断し、これによって、アップリンクＤＴＸは、ＳＩ読取ギャップ中に回避されうるようになりうる。周波数間ＳＩ読取を実行する前に、ＵＥは、アップリンクＦＴＬおよびＴＴＬを更新することをスキップ（例えば、フリーズ）しうる。ＵＥは、その後、近隣セルに同調し、近隣セルからのダウンリンク送信に基づいてダウンリンクＦＴＬおよびＴＴＬを更新し、近隣セルからシステム情報を読み取りうる。ＵＥは、アップリンクＦＴＬおよびＴＴＬを、フリーズされた値に維持し、ＳＩ読取ギャップ中に、アップリンクでサービス提供セルへ送信することができうる。
【００４０】
１つの設計では、周波数内ＳＩ読取と周波数間ＳＩ読取との両方について、ＵＥが、アップリンクＦＴＬおよびＴＴＬを更新することなく、アップリンクで送信しうる持続時間は、ＳＩ読取ギャップの持続時間の関数でありうる。フリーズされたＦＴＬ値およびＴＴＬ値は、ＳＩ読取ギャップが長くなるほど、より不正確になるであろう。アップリンク送信は、ＦＴＬおよびＴＴＬ誤りが非常に大きくなることが無いように、制限された持続時間の間許可され、ＴＴＬおよびＦＴＬ誤りが非常に大きい場合には、停止されうる。
【００４１】
一般に、ＵＥは、上述した設計のうちのいくつかまたはすべてを実施しうる。ＵＥはまた、ＳＩ読取ギャップによるデータ損失を、別の方式でも緩和しうる。
【００４２】
自律的なＳＩ読取中におけるデータ損失を緩和する第１のセル・ベースの設計では、サービス提供セルは、ＵＥのために、ＨＡＲＱを用いたダウンリンクおよび／またはアップリンクでのデータ送信のためのターゲット終了を延長しうる。例えば、サービス提供セルは、自律的なＳＩ読取無しで、ＵＥへ各伝送ブロックについて平均してＮ回の送信を行いうる。ここで、Ｎは、通常のターゲット終了である。サービス提供セルは、自律的なＳＩ読取有りで、ＵＥへ各伝送ブロックについて平均してＮ＋Ｚ回の送信を行いうる。ここで、Ｎ＋Ｚは、延長されたターゲット終了である。通常のターゲット終了は、例えば、ＵＥが周波数内ＳＩ読取を実行しているか、または、周波数間ＳＩ読取を実行しているか、ＵＥの推定されたＳＩ読取ギャップ、のようなさまざまな要因に依存しうる量によって延長されうる。
【００４３】
自律的なＳＩ読取中におけるデータ損失を緩和する第２のセル・ベースの設計では、サービス提供セルは、ＵＥの同調解除パターンを推定し、ＵＥの推定されたＳＩ読取ギャップを考慮することによって、ＵＥのためのデータ送信をスケジュールしうる。サービス提供セルは、ＵＥの同調解除パターンをさまざまな方式で推定しうる。１つの設計では、サービス提供セルは、近隣セルのタイミング情報を（例えば、バックホールを介して、または、ＵＥから）取得し、各近隣セルのＭＩＢおよびＳＩＢ１の（例えば、サービス提供セルのタイミングに対する）位置を確認しうる。サービス提供セルは、その後、各近隣セルのＭＩＢおよびＳＩＢ１の位置に基づいて、ＵＥのＳＩ読取ギャップを推定しうる。
【００４４】
別の設計では、サービス提供セルは、ＵＥのＰＵＳＣＨ送信パターンに基づいて、ＵＥの同調解除パターンを推定しうる。ＬＴＥでは、アップリンクについて、同期ＨＡＲＱが使用されるので、サービス提供セルは、図４に示すように、ＵＥへＮＡＣＫを送信した後、Ｐ個のサブフレームで、ＵＥからデータ送信を受信しなければならない。サービス提供セルがＵＥにＮＡＣＫを送信する場合には常に、サービス提供セルは、例えば、ＵＥがアップリンク・データ送信のためにスケジュールされているリソース・ブロックのエネルギを測定することによって、後のＰ個のサブフレームで、ＵＥからのデータ送信を検出しうる。ＵＥからの繰り返される喪失データ送信は、喪失データ送信が検出されるサブフレームの間、ＵＥが、近隣セルからのシステム情報を読み取るために、同調解除したことを示しうる。
【００４５】
また別の設計では、サービス提供セルは、ＵＥのＰＵＣＣＨ送信パターンに基づいて、ＵＥの同調解除パターンを推定しうる。サービス提供セルは、図３に示すように、所与のサブフレームで、ＵＥへダウンリンクでデータ送信を行い、ＵＥは、その後、Ｑ個のサブフレームで、ＰＵＣＣＨでＡＣＫ／ＮＡＣＫを送信しなければならない。しかしながら、ＵＥは、近隣セルからシステム情報を読み取っている場合には、アップリンクＤＴＸによって、ＡＣＫ／ＮＡＣＫを送信できないことがありうる。サービス提供セルは、各データ送信がＵＥへなされた後、ＵＥからのＡＣＫ／ＮＡＣＫを検出しうる。ＵＥからの繰り返される喪失ＡＣＫ／ＮＡＣＫは、喪失ＡＣＫ／ＮＡＣＫが検出されるサブフレームの間、近隣セルからのシステム情報を読み取るために、ＵＥが同調解除したことを示しうる。
【００４６】
また別の設計では、サービス提供セルは、ＨＡＲＱ有りのダウンリンクおよび／またはアップリンクでのデータ送信の統計に基づいて、ＵＥの同調解除パターンを推定しうる。例えば、サービス提供セルは、ターゲット終了、喪失ＡＣＫ／ＮＡＣＫ、等の統計を追跡しうる。サービス提供セルは、その後、統計における変化が検出された場合に、近隣セルからシステム情報を読み取るためにＵＥが同調解除したと仮定しうる。
【００４７】
また別の設計では、サービス提供セルは、ＵＥのサウンディング基準信号（ＳＲＳ）送信パターンに基づいて、ＵＥの同調解除パターンを推定しうる。ＵＥは、サービス提供セルが、ＵＥのアップリンク・チャネル品質を測定できるようにするために、アップリンクでＳＲＳを定期的に送信するように構成されうる。ＵＥは、ＳＩ読取ギャップ中に、アップリンクＤＴＸによって、ＳＲＳを送信できないことがありうる。サービス提供セルは、繰り返される喪失ＳＲＳ送信を検出し、近隣セルからのシステム情報を読み取るためＵＥが同調解除したものと仮定しうる。
【００４８】
サービス提供セルはまた、ＵＥの同調解除パターンを別の方式でも推定しうる。サービス提供セルは、ＵＥの推定された同調解除パターンを考慮することによって、ダウンリンクおよび／またはアップリンクでのデータ送信のために、ＵＥをスケジュールしうる。これは、さまざまな方式で達成されうる。
【００４９】
１つの設計では、サービス提供セルは、ＵＥがＳＩ読取のために同調解除されることを期待されているサブフレームである、同調解除サブフレームにおいて、ＵＥへ、ＰＤＣＣＨで制御情報を送信すること、および／または、ＰＤＳＣＨでデータ送信を行うことを回避しうる。別の設計では、サービス提供セルは、同調解除サブフレームにおいて、アップリンクでのデータの新たな送信のためにＵＥをスケジュールすることを回避しうる。
【００５０】
また別の設計では、サービス提供セルは、ＰＨＩＣＨで偽のＡＣＫをＵＥへ送信することによって、同調解除サブフレームにおけるＵＥからの再送信を保留しうる。例えば、サービス提供セルは、サブフレームｉにおいて、ＵＥから、伝送ブロックの送信を受信しうる。そして、同調節解除サブフレームｉ＋８において、ＵＥから、伝送ブロックの再送信を保留するために、サブフレームｉ＋４において、偽のＡＣＫを送信しうる。サービス提供セルは、その後、サブフレームｉ＋１６における伝送ブロックの再送信のためにＵＥをスケジュールするために、サブフレームｉ＋１２に維持されている（すなわち、トグルされていない）新たなデータ・インジケータ（ＮＤＩ）とともにアップリンク許可を送信しうる。ＵＥは、トグルされたＮＤＩとともにアップリンク許可を受信するまで、バッファ内に伝送ブロックを保持しうる。したがって、ＵＥは、サブフレームｉ＋１２で受信したアップリンク許可によって、サブフレームｉ＋１６で、伝送ブロックの再送信を行いうる。ＵＥが同調解除するであろうとサービス提供セルが確信した場合、サービス提供セルは、偽のＡＣＫを送信しないことがありうる。なぜなら、ＵＥは、何れにせよ同調解除した場合、アップリンクＤＴＸによって、アップリンクで送信できないからである。
【００５１】
１つの設計では、サービス提供セルは、ＵＥが、ＳＩ読取によってアップリンクでデータを送信しないであろうことを知っているか疑っている場合、ＨＡＲＱ結合をスキップしうる。ＵＥは、符号ビットを得るために伝送ブロックを符号化し、異なる符号ビットのサブセットに基づいて、伝送ブロックの異なる送信を生成し、伝送ブロックの１つの送信を、一度に、サービス提供セルへ送りうる。サービス提供セルは、伝送ブロックの送信をＵＥから受信すると、受信した送信で送られた符号ビットのサブセットについて、ログ尤度比（ＬＬＲ）を計算しうる。その後、サービス提供セルは、伝送ブロックの受信した送信のすべてについて、ＬＬＲを復号しうる。したがって、サービス提供セルは、一般に、ＵＥから受信した伝送ブロックのすべての送信に基づいて、伝送ブロックのための復号を実行しうる。しかしながら、伝送ブロックの所与の送信が、ＳＩ読取によって、ＵＥによって送信されないとサービス提供が知ったか、あるいは、疑った場合、サービス提供セルは、この送信を、以前に受信した送信と結合することを回避し、この送信のために、０であるＬＬＲを使用しうる。サービス提供セルはその後、ＵＥによる伝送ブロックの送信を再開するために、ＮＡＣＫ、および／または、同じＮＤＩを伴うアップリンク許可を、ＵＥへ送信しうる。
【００５２】
１つの設計では、サービス提供セルは、ＳＩ読取を考慮するために、ＵＥによるアップリンクでのデータ送信のための変調および符号化スキーム（ＭＣＳ）を選択しうる。例えば、サービス提供セルは、ＵＥが、サブフレームｉ−１の間、近隣セルへ同調し、サブフレームｉにおいて、近隣セルからシステム情報を読み取り、サブフレームｉ＋１の間、サービス提供セルへ同調を戻す、ことを知っているか、期待しうる。サブフレームｉ−１およびサブフレームｉ＋１は、部分的に同調解除されたサブフレームであり、ここではＵＥは、各サブフレームの一部について同調解除し、サブフレームの残りについて、サービス提供セルへ同調する。サービス提供セルは、部分的な同調解除サブフレームにおいて、ＵＥによるデータの部分的な送信を考慮するために、ＭＣＳを調節しうる。周波数内ＳＩ読取のために、サブフレームｉ−１およびサブフレームｉ＋１における同調解除時間は、例えば、ダウンリンクＦＴＬおよびＴＴＬを調節するために丁度十分な長さのように、短くなりうる。したがって、ＭＣＳは、わずかな量しか調節されない（または、まったく調節されない）。なぜなら、サブフレームｉ−１およびサブフレームｉ＋１における短い同調解除時間によって、ＵＥからの少量のアップリンク送信が損失されうるからである。周波数間ＳＩ読取の場合、サブフレームｉ−１およびサブフレームｉ＋１における同調解除時間は、ＲＦ受信機を同調し、ダウンリンクＦＴＬおよびＴＴＬを調節するために、（例えば、各サブフレームの約半分のように）長くなりうる。したがって、ＭＣＳは、多く調節されうる。なぜなら、ＵＥからのアップリンク送信の多くが、サブフレームｉ−１およびサブフレームｉ＋１におけるより長い同調解除時間によって損失されうるからである。
【００５３】
１つの設計では、サービス提供セルは、自律的なＳＩ読取中、ＵＥからのアップリンクにおける喪失ＡＣＫ／ＮＡＣＫによるパフォーマンス損失を緩和しうる。アップリンクにおけるＡＣＫ／ＮＡＣＫの喪失は、ＵＥが近隣セルへの同調を解除した場合、ＰＤＣＣＨで送信されたダウンリンク許可、および／または、ＰＤＳＣＨで送信されたデータ送信をＵＥが喪失することによって生じうる。例えば、ＵＥは、サブフレームｉで、近隣セルへの同調を解除し、サブフレームｉで、サービス提供セルによってＵＥへ送信されたデータ送信を喪失し、サブフレームｉ＋４でＡＣＫ／ＮＡＣＫを送信しないであろう。アップリンクにおけるＡＣＫ／ＮＡＣＫを喪失することは、ＵＥが近隣セルへの同調を解除した場合に、アップリンクＤＴＸによっても生じうる。例えば、ＵＥは、サブフレームｉにおいて、近隣セルへの同調を解除し、アップリンクＤＴＸによって、サブフレームｉにおいて、ＡＣＫ／ＮＡＣＫを送信できないことがありうる。アップリンクＤＴＸによる喪失ＡＣＫ／ＮＡＣＫは、ＵＥがダウンリンク送信を受信した場合には、ＡＣＫである可能性が高い一方、同調解除によって引き起こされたＰＤＣＣＨ／ＰＤＳＣＨ喪失による喪失ＡＣＫ／ＮＡＣＫは、ＮＡＣＫである可能性が高い。サービス提供セルは、これら２つの喪失ＡＣＫ／ＮＡＣＫのケースを区別し、別々に応答しうる。１つの設計では、サービス提供セルは、伝送ブロックに関するＡＣＫ／ＮＡＣＫがＵＥから受信されない場合、伝送ブロックはＵＥによって正しく復号されたものと仮定しうる。サービス提供セルは、伝送ブロックに関するＡＣＫをＵＥから受信するために、小さなダウンリンク許可を割り当て、伝送ブロックの小さな再送信を、ＵＥへ送りうる。サービス提供セルはまた、伝送ブロックの別の送信を送りうる。これは、ＡＣＫ／ＮＡＣＫを喪失する結果となる伝送ブロックの送信を単に繰り返すことよりも良好なパフォーマンス／符号を提供しうる。
【００５４】
一般に、サービス提供セルは、上述した設計のうちのいくつかあるいはすべてを実施しうる。サービス提供セルはまた、ＵＥのＳＩ読取ギャップによるデータ損失を、その他の方式でも緩和しうる。
【００５５】
図７は、自律的なＳＩ読取中におけるデータ損失を緩和するための処理７００の設計を示す。処理７００は、（以下に説明するように）ＵＥによって実行されうるか、または、その他いくつかのエンティティによって実行されうる。ＵＥは、近隣セルからシステム情報を読み取るために、ＳＩ読取ギャップを自律的に選択しうる（ブロック７１２）。ＵＥは、ＳＩ読取ギャップ中に、サービス提供セルから、ダウンリンク送信の受信を保留しうる（ブロック７１４）。ＵＥは、ＳＩ読取ギャップ中に、近隣セルからシステム情報を受信しうる（ブロック７１６）。ＵＥは、ＳＩ読取ギャップ中に、アップリンクでサービス提供セルへ送信するための機能を維持しうる（ブロック７１８）。
【００５６】
１つの設計では、ＵＥは、サービス提供セルからダウンリンク送信を受信している場合、サービス提供セルに基づいて、アップリンクのための第１のＦＴＬを更新しうる。ＵＥは、近隣セルからシステム情報を受信している場合、ＳＩ読取ギャップ中、サービス提供セルに基づいて、アップリンクのための第１のＦＴＬを更新することをスキップ（または、アップリンクのための第１のＦＴＬをフリーズ）しうる。ＵＥは、ＳＩ読取ギャップのすべてまたは一部の間、アップリンクのための第１のＦＴＬがフリーズされた状態で、サービス提供セルへアップリンク送信を送りうる。
【００５７】
１つの設計では、ＵＥは、サービス提供セルからダウンリンク送信を受信している場合、サービス提供セルに基づいて、ダウンリンクのための第２のＦＴＬを更新しうる。ＵＥは、ＳＩ読取ギャップ中、近隣セルに基づいて、ダウンリンクのための第２のＦＴＬを更新しうる。
【００５８】
ＵＥはまた、アップリンクのための第１のＴＴＬおよび／またはその他のトラッキング・ループを維持しうる。ＵＥはまた、ダウンリンクのための第２のＴＴＬおよび／またはその他のトラッキング・ループを維持しうる。ＵＥは、第１のＦＴＬと同様な方式で、アップリンクのためのトラッキング・ループを維持しうる。ＵＥは、第２のＦＴＬと同様な方式で、ダウンリンクのためのトラッキング・ループを維持しうる。一般に、ＵＥは、ＳＩ読取ギャップ中に、アップリンクのための少なくとも１つのトラッキング・ループ（例えば、ＦＬＴおよび／またはＴＴＬ）を更新することをスキップし、ＳＩ読取ギャップのうちのすべてまたは一部の間、アップリンクのためのトラッキング・ループ（単数または複数）がフリーズされた状態で、サービス提供セルへアップリンク送信を送りうる。アップリンク送信は、システム・パフォーマンスにおけるフリーズされたトラッキング・ループ（単数または複数）の悪影響に基づいて決定される持続期間の間、許可されうる。
【００５９】
１つの設計では、ＵＥは、サービス提供セルに、同調解除情報を送信しうる。同調解除情報は、ＵＥが少なくとも１つの近隣セルからシステム情報を受信することを意図しているＳＩ読取ギャップを示しうる。別の設計では、ＵＥは、少なくとも１つの近隣セルのためのタイミング情報を、サービス提供セルへ送信しうる。タイミング情報は、ＵＥがシステム情報を受信することを意図している少なくとも１つの近隣セルのタイミングを示しうる。サービス提供セルは、ＵＥと通信するために、同調解除情報および／またはタイミング情報を使用しうる。例えば、サービス提供セルは、上述したように、同調解除情報および／またはタイミング情報に基づいて、ＵＥのＳＩ読取ギャップを決定し、ＳＩ読取ギャップによるデータ損失が緩和されるように、ダウンリンクおよび／またはアップリンクでのデータ送信のためにＵＥをスケジュールしうる。
【００６０】
１つの設計では、サービス提供セルおよび近隣セルは、同じ周波数で動作しうる。ＵＥは、ＳＩ読取ギャップ中、周波数内ＳＩ読取を実行しうる。別の設計では、サービス提供セルおよび近隣セルは、異なる周波数で動作しうる。ＵＥは、ＳＩ読取ギャップ中、周波数間ＳＩ読取を実行しうる。
【００６１】
図８は、自律的なＳＩ読取中のデータ損失を緩和するための装置８００の設計を示す。装置８００は、ＵＥによる、近隣セルからシステム情報の読み取りのために、ＳＩ読取ギャップを自律的に選択するためのモジュール８１２と、ＳＩ読取ギャップ中に、ＵＥによる、サービス提供セルからのダウンリンク送信の受信を保留するためのモジュール８１４と、ＳＩ読取ギャップ中に、ＵＥによる、近隣セルからのシステム情報の受信のためのモジュール８１６と、ＳＩ読取ギャップ中に、ＵＥによる、アップリンクにおけるサービス提供セルへの送信のための機能を維持するためのモジュール８１８とを含む。
【００６２】
図９は、自律的なＳＩ読取中におけるデータ損失を緩和するための処理９００の設計を示す。処理９００は、（以下に説明するように）ＵＥのためのサービス提供セルによって実行されうるか、または、その他いくつかのエンティティによって実行されうる。サービス提供セルは、少なくとも１つの近隣セルからシステム情報を読み取るためにＵＥによって自律的に選択されるＳＩ読取ギャップを決定しうる（ブロック９１２）。ＳＩ読取ギャップは、サービス提供セルによってＵＥに割り当てられない。サービス提供セルは、ＵＥのＳＩ読取ギャップを考慮することによって、ＵＥと通信しうる（ブロック９１４）。
【００６３】
ブロック９１２の１つの設計では、サービス提供セルは、ＵＥから同調解除情報を受信し、同調解除情報に基づいて、ＵＥのＳＩ読取ギャップを決定しうる。別の設計では、サービス提供セルは、例えば、近隣セル（単数または複数）からのバックホールによって、または、ＵＥからのアップリンクによって、少なくとも１つの近隣セルのタイミング情報を取得しうる。サービス提供セルは、少なくとも１つの近隣セルのためのタイミング情報に基づいて、ＵＥのＳＩ読取ギャップを決定しうる。
【００６４】
ブロック９１２のさらに別の設計では、サービス提供セルは、アップリンクにおける喪失ＡＣＫ情報に基づいて、ＵＥのＳＩ読取ギャップを決定しうる。サービス提供セルは、ダウンリンクでＵＥへデータの送信を行い、アップリンクにおける、ＵＥからのＡＣＫ情報の喪失送信を検出しうる。サービス提供セルは、ＵＥからのＡＣＫ情報の喪失送信に基づいて、ＳＩ読取ギャップを決定しうる。また別の設計では、サービス提供セルは、アップリンクにおける喪失データに基づいて、ＵＥのＳＩ読取ギャップを決定しうる。サービス提供セルは、ＵＥにダウンリンクで許可を送信し、ＵＥからの、アップリンクでのデータの喪失送信を検出しうる。サービス提供セルは、ＵＥからのデータの送信が喪失したことに基づいて、ＳＩ読取ギャップを決定しうる。また別の設計では、サービス提供セルは、ＵＥからのアップリンクでの、ＳＲＳの喪失送信に基づいて、ＵＥのＳＩ読取ギャップを決定しうる。ＵＥは、指定されたサブフレームで、ＳＲＳを送信するように構成されうる。サービス提供セルは、指定されたサブフレームのうちのすべてまたはいくつかにおいて、ＵＥからのＳＲＳの喪失送信に基づいて、ＳＩ読取ギャップを決定しうる。
【００６５】
またブロック９１２の別の設計では、サービス提供セルは、ＵＥのためのＨＡＲＱを用いたデータ送信の統計に基づいて、ＳＩ読取ギャップを決定しうる。統計は、喪失したＡＣＫ情報、または、正しい復号のためのデータ送信数等に関連しうる。サービス提供セルはまた、ＵＥのＳＩ読取ギャップを別の方式でも決定しうる。
【００６６】
ブロック９１４の１つの設計では、サービス提供セルは、ＵＥのＳＩ読取ギャップによって、ＵＥのためのＨＡＲＱを用いたデータ送信のためのターゲット終了を延長しうる。別の設計では、サービス提供セルは、ＵＥのＳＩ読取ギャップに基づいて、同調解除サブフレームを識別しうる。ＵＥは、近隣セル（単数または複数）からシステム情報を読み取るために、同調解除サブフレームの間、サービス提供セルから同調解除しうる。サービス提供セルは、同調解除サブフレームにおけるダウンリンクでのＵＥとの通信を保留し、同調解除サブフレームにおけるアップリンクでのＵＥとの通信を継続しうる。
【００６７】
ブロック９１４の別の設計では、サービス提供セルは、同調解除サブフレーム以外のサブフレームで、ＰＤＣＣＨでＵＥへ制御情報を送信しうる。また別の設計では、サービス提供セルは、同調解除サブフレーム以外のサブフレームで、アップリンクにおいて、ＰＵＳＣＨで、新たな（すなわち、初期または最初の）データの送信のためにＵＥをスケジュールしうる。
【００６８】
ブロック９１４の別の設計では、サービス提供セルは、同調解除サブフレームにおいて、ＵＥによるアップリンクでのデータ送信を保留するために、偽のＡＣＫを送信しうる。サービス提供セルは、第１のサブフレームで、ＵＥからの伝送ブロックの送信を受信しうる。サービス提供セルは、同調解除サブフレームのうちの１つでありうる、第３のサブフレームにおいて、ＵＥからの伝送ブロックの送信を保留するために、第２のサブフレームで、ＵＥへ、伝送ブロックに関する偽のＡＣＫを送信しうる。サービス提供セルは、第３のサブフレームの後の第４のサブフレームにおいて、伝送ブロックを送信するために、ＵＥをスケジュールしうる。
【００６９】
ブロック９１４の別の設計では、サービス提供セルは、同調解除サブフレームにおけるＨＡＲＱ結合を回避しうる。サービス提供セルは、同調解除サブフレーム以外の複数のサブフレームにおいて、ＵＥから受信した伝送ブロックの複数の送信を結合しうる。サービス提供セルは、同調解除サブフレームのうちの少なくとも１つにおいて、ＵＥから受信した伝送ブロックのうちの少なくとも１つの送信を結合することをスキップしうる。サービス提供セルは、結合後、ＵＥからの伝送ブロックを復元するために、伝送ブロックの複数の送信を復号しうる。
【００７０】
ブロック９１４の別の設計では、サービス提供セルは、部分的な同調解除サブフレームを考慮するために、ＭＣＳを調節しうる。サービス提供セルは、ＵＥがサブフレームの一部の間にのみサービス提供セルと通信するサブフレームを識別しうる。ＵＥは、サブフレームの残りの部分において、近隣セルに同調するか、あるいは、サービス提供セルに同調を戻しうる。サービス提供セルは、ＵＥが、サブフレームの一部の間のみ、サービス提供セルと通信することを考慮するために、識別されたサブフレームにおけるデータ送信のためのＭＣＳを選択しうる。サービス提供セルは、ＵＥが周波数間ＳＩ読取を行うか、周波数内ＳＩ読取を行うかに基づいて、識別されたサブフレームにおいて、ＵＥがサービス提供セルと通信する時間の長さを推定しうる。
【００７１】
ブロック９１４の別の設計では、サービス提供セルは、アップリンクにおけるＡＣＫ情報が喪失したことにより、再送信を行いうる。サービス提供セルは、第１のサブフレームにおいて、ＵＥへ伝送ブロックを送信しうる。サービス提供セルは、第２のサブフレームにおいて、ＵＥからの伝送ブロックに関するＡＣＫ情報の喪失を検出しうる。１つのシナリオでは、サービス提供セルは、喪失したＡＣＫ情報は、ＵＥが近隣セルからシステム情報を読み取ることによって、ＵＥによって送信されなかったＡＣＫである可能性が高いと判定しうる。サービス提供セルは、その後、伝送ブロックのためのＡＣＫを取得するために、第３のサブフレームで、ＵＥへ、伝送ブロックの追加の送信を送りうる。伝送ブロックの追加の送信は、ＵＥから、ＡＣＫのフィードバックを開始するためになされ、伝送ブロックの以前の送信よりも小さくなりうる。あるいは、または、それに加えて、伝送ブロックの追加の送信は、伝送ブロックの良好な符号を得るために、伝送ブロックの以前の送信のものとは異なる符号化データを備えうる。別のシナリオでは、サービス提供セルは、ＵＥが近隣セルからのシステム情報を読み取っている場合、喪失したＡＣＫ情報は、ＵＥがＰＤＣＣＨで送信されたダウンリンク許可を喪失することによって、ＵＥによって送信されなかったＮＡＣＫである可能性が高いと判定する。この場合、サービス提供セルは、ＵＥのためにより多くのデータ割当を有し、および／または、以前の送信で送られたものと同じ符号化データを備える追加の送信を送りうる。
【００７２】
図１０は、自律的なＳＩ読取中におけるデータ損失を緩和するための装置１０００の設計を示す。装置１０００は、少なくとも１つの近隣セルからシステム情報を読み取るためにＵＥによって自律的に選択されるＳＩ読取ギャップを決定するためのモジュール１０１２と、ＵＥのＳＩ読取ギャップを考慮することによって、サービス提供セルによってＵＥと通信するためのモジュール１０１４とを含む。
【００７３】
図８および図１０におけるモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００７４】
図１１は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ１１３４ａ乃至１１３４ｔを備え、ＵＥ１２０は、Ｒ個のアンテナ１１５２ａ乃至１１５２ｒを備えうる。ここで、一般に、Ｔ≧１およびＲ≧１である。
【００７５】
基地局１１０では、送信プロセッサ１１２０が、１または複数のＵＥのためのデータをデータ・ソース１１１２から受け取り、おのおののＵＥのためのデータを、このＵＥのために選択された１または複数の変調スキームおよび符号化スキームに基づいて処理（例えば、符号化および変調）し、すべてのＵＥのためにデータ・シンボルを提供しうる。送信プロセッサ１１２０はまた、制御情報を処理し、制御シンボルを提供しうる。制御情報は、ダウンリンク許可、アップリンク許可、ＡＣＫ情報、システム情報等を備えうる。送信プロセッサ１１２０はまた、基地局１１０によってサポートされているおのおののセルのための基準信号、および、同期信号のための基準シンボルを生成しうる。送信（ＴＸ）複数入力複数出力（ＭＩＭＯ）プロセッサ１１３０は、データ・シンボル、制御シンボル、および／または基準シンボル（適用可能な場合）をプリコードし、Ｔ個の出力シンボル・ストリームをＴ個の変調器（ＭＯＤ）１１３２ａ乃至１１３２ｔに提供しうる。おのおのの変調器１１３２は、（例えば、ＯＦＤＭ等のための）出力シンボル・ストリームを処理して、出力サンプル・ストリームを得る。おのおのの変調器１１３２はさらに、出力サンプル・ストリームを調整（例えば、アナログ変換、フィルタ、増幅、およびアップコンバート）し、ダウンリンク信号を生成しうる。変調器１１３２ａ乃至１１３２ｔからのＴ個のダウンリンク信号は、Ｔ個のアンテナ１１３４ａ乃至１１３４ｔによってそれぞれ送信されうる。
【００７６】
ＵＥ１２０では、Ｒ個のアンテナ１１５２ａ乃至１１５２ｒが、基地局１１０またはその他の基地局からダウンリンク信号を受信しうる。そして、おのおののアンテナ１１５２は、受信した信号を、関連付けられた復調器（ＤＥＭＯＤ）１１５４へ提供しうる。おのおのの復調器１１５４は、この受信した信号を調整（例えば、フィルタ、増幅、ダウンコンバート、およびデジタル化）してサンプルを取得し、さらに、これら（例えば、ＯＦＤＭ等のため）サンプルを処理して、受信されたシンボルを得る。ＭＩＭＯ検出器１１６０は、すべての復調器１１５４から受信したシンボルを取得し、適用可能である場合、これら受信したシンボルに対してＭＩＭＯ検出を実行し、検出されたシンボルを提供しうる。受信プロセッサ１１７０は、サービス提供セルからの、検出されたシンボルを処理（例えば、復調および復号）して、復号されたデータおよび制御情報を取得しうる。プロセッサ１１７０は、復号されたデータをデータ・シンク１１７２に提供し、復号された制御情報をコントローラ／プロセッサ１１９０へ提供しうる。受信プロセッサ１１７０はまた、近隣セルから検出されたこれらシンボルを処理して、システム情報を取得し、システム情報をコントローラ１１９０へ提供しうる。
【００７７】
アップリンクでは、ＵＥ１２０において、データ・ソース１１７８からのデータと、コントローラ／プロセッサ１１９０からの制御情報（例えば、ＡＣＫ情報等）とが、送信プロセッサ１１８０によって処理され、適用可能であればＴＸ  ＭＩＭＯプロセッサ１１８２によってプリコードされ、さらに、変調器１１５４ａ乃至１１５４ｒによって処理され、基地局１１０へ送信されうる。基地局１１０では、ＵＥ１２０からのアップリンク信号が、アンテナ１１３４によって受信され、復調器１１３２によって処理され、適用可能な場合にはＭＩＭＯ検出器１１３６によって検出され、さらに、受信プロセッサ１１３８によって処理されて、ＵＥ１２０によって送信されたデータおよび制御情報が復元される。プロセッサ１１３８は、復元されたデータをデータ・シンク１１３９に提供し、復元された制御情報をコントローラ／プロセッサ１１４０へ提供しうる。
【００７８】
コントローラ／プロセッサ１１４０，１１９０は、基地局１１０およびＵＥ１２０それぞれにおける動作を指示しうる。基地局１１０におけるプロセッサ１１４０および／またはその他のプロセッサおよびモジュールは、図９の処理９００、および／または、本明細書に記載された技術のためのその他の処理の実行または指示を行いうる。ＵＥ１２０におけるプロセッサ１１９０および／またはその他のプロセッサおよびモジュールは、図７における処理７００、および／または、本明細書に記載された技術のためのその他の処理の実行または指示を行いうる。メモリ１１４２，１１９２は、基地局１１０およびＵＥ１２０それぞれのためのデータおよびプログラム・コードを格納しうる。スケジューラ１１４４は、ダウンリンクおよび／またはアップリンクでのデータ送信のためにＵＥ１２０および／またはその他のＵＥをスケジュールしうる。
【００７９】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８０】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、上述した機能を実現することができる。しかしながら、この適用判断は、本発明の範囲からの逸脱をもたらすものと解釈されるべきではない。
【００８１】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８２】
本明細書の開示に関連して説明された方法またはアルゴリズムのステップは、ハードウェアでダイレクトに、プロセッサによって実行されるソフトウェア／ファームウェア・モジュールで、またはこれらの組み合せで実現されうる。ソフトウェア／ファームウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８３】
１または複数の典型的な設計では、記載された機能は、ハードウェア、ソフトウェア、ファームウェア、あるいはそれらの任意の組み合わせによって実現されうる。ソフトウェア／ファームウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙディスク（ｄｉｓｃ）を含む。ここで、ｄｉｓｋは通常、データを磁気的に再生し、ｄｉｓｃは、レーザを用いてデータを光学的に再生する。上記の組み合わせもまた、コンピュータ読取可能な媒体の範囲内に含まれるべきである。
【００８４】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013517743.tif 000003
【図２】
2013517743.tif 000004
【図３】
2013517743.tif 000005
【図４】
2013517743.tif 000006
【図５】
2013517743.tif 000007
【図６】
2013517743.tif 000008
【図７】
2013517743.tif 000009
【図８】
2013517743.tif 000010
【図９】
2013517743.tif 000011
【図１０】
2013517743.tif 000012
【図１１】
2013517743.tif 000013
【国際調査報告】
2013517743.tif 000014
2013517743.tif 000015
2013517743.tif 000016